(57)【特許請求の範囲】
【請求項１】
信号出力先となる外部装置が備える外部電源と内蔵電源とを切り替えて使用するコンデンサマイクロホンであって、
上記内蔵電源からマイクロホン回路に至る内蔵電源供給回路と、
上記外部電源からマイクロホン回路への外部電源供給の有無を検知する検知手段と、
上記検知手段が上記外部電源供給を検知しているとき上記内蔵電源からの電源供給を遮断するスイッチ手段と、を備え、
上記検知手段はフォト−ＭＯＳリレーが備える発光ダイオードで構成されていて上記外部電源と上記マイクロホン回路の間に直列に接続され、
上記スイッチ手段は上記フォト−ＭＯＳリレーが備えているＭＯＳＦＥＴで構成されていて上記内蔵電源と上記マイクロホン回路との間に直列に接続され、
上記マイクロホン回路からの音声信号を上記信号出力側に通過させるバイパスコンデンサが上記発光ダイオードに並列に接続され、
上記ＭＯＳＦＥＴは、上記発光ダイオードの点滅によって、上記内蔵電源供給回路と上記マイクロホン回路との接続と切り離しを切り替えるコンデンサマイクロホン。
【請求項２】
フォト−ＭＯＳリレーの発光ダイオードは上記外部電源から電源が供給されることによって発光し、フォト−ＭＯＳリレーのＭＯＳＦＥＴは上記発光ダイオードの発光によって上記内蔵電源をマイクロホン回路から切断する請求項１記載のコンデンサマイクロホン。
【請求項３】
上記内蔵電源供給回路は、負荷抵抗を介してマイクロホン回路に至る請求項１または２に記載のコンデンサマイクロホン。
【請求項４】
フォト−ＭＯＳリレーの発光ダイオードは上記外部電源から電源が供給されることによって発光し、フォト−ＭＯＳリレーのＭＯＳＦＥＴは上記発光ダイオードの発光によって上記負荷抵抗をマイクロホン回路から切断する請求項３記載のコンデンサマイクロホン。
【請求項５】
上記外部電源からマイクロホン回路への外部電源供給は、上記マイクロホン回路の信号線を介して行われる請求項１乃至４のいずれかに記載のコンデンサマイクロホン。
【発明の詳細な説明】
【技術分野】
【０００１】
本発明は、コンデンサマイクロホンに関するものであって、詳しくは、外部電源供給と内蔵電源供給との切り換え回路に関するものである。
【背景技術】
【０００２】
コンデンサマイクロホンは、電気音響変換器であるコンデンサマイクロホンユニットのインピーダンスが高いことから、ＦＥＴ（電界効果型トランジスタ、以下同じ）などを用いたインピーダンス変換器を必要とする。このインピーダンス変換器を動作させるには電源が必要である。電源の供給には複数の型が知られている。例えば、コンデンサマイクロホン本体に電源を搭載する内蔵電池型と、コンデンサマイクロホンを装着する外部機器（例えば、録音機器等）からの電源供給を受ける外部供給型である。このうち、外部供給型による電源供給方式は「プラグインパワー方式」と呼ばれる。
【０００３】
外部供給型と内蔵電池型を併用するコンデンサマイクロホンも知られている。このようなコンデンサマイクロホンにおいては、外部電源からの電源供給と内蔵電池からの電源供給を同時に行うときに、外部電源から内蔵電池に電流が流れ込むことがあるため、内蔵電池の発熱や液漏れなど不具合の原因となることが知られている。これを防ぐために、内蔵電池からコンデンサマイクロホンへ電源を供給する回路に、外部電源から内蔵電池への電流の流入を阻止するダイオードスイッチを備えたものが知られている（例えば、特許文献１を参照。）
【０００４】
特許文献１のダイオードスイッチによれば、内蔵電池に直列に接続されたダイオードによって、外部電源から内蔵電池への電流の流入を阻止することができる。これによって内蔵電池は外部電源から保護される。しかし、ダイオードは順方向に電流が流れる場合であっても、端子間に一定の電圧（順方向電圧）がかかる。したがって、内蔵電池からコンデンサマイクロホンに電源を供給するときは、内蔵電池に直列接続されたダイオードの順方向電圧の分だけ供給電圧が低下することになる。この低下した電圧がコンデンサマイクロホンの動作電圧になると、最大出力電圧が低下することになる。かかる不具合を軽減するためには、できるだけ順方向電圧が低いダイオードであることが望ましく、そのためには、ショットキーダイオードを用いるとよい。しかしながら、ショットキーダイオードも、順方向電圧は０．４Ｖである。
【０００５】
例えば、内蔵電池の電圧が１．５Ｖであるとすると、上記のダイオードスイッチにショットキーダイオードを用いても、コンデンサマイクロホンに供給される電源電圧は１．１Ｖに低下する。すなわち、１．５Ｖから約２７％低下することになる。これを最大出力レベルにすると約２．７ｄｂの低下に相当する。最大音圧レベルが低下すると、コンデンサマイクロホンに大きな音圧が入力されたときに、出力信号が歪むことがある。
【先行技術文献】
【特許文献】
【０００６】
【特許文献１】特開平１０−１５５２３４号公報
【発明の概要】
【発明が解決しようとする課題】
【０００７】
上記のとおり、プラグインパワー方式と内蔵電池型との併用が可能なコンデンサマイクロホンにおいて、外部電源を使用しているときには内蔵電池の保護をし、かつ、内蔵電池を使用するときに、不要な電源電圧降下が生じることのないものが望ましい。
【０００８】
本発明は、以上の問題点を解消するためになされたもので、外部から供給される電源と内蔵電源とを切り換えて使用するコンデンサマイクロホンにおいて、マイクロホン回路に内蔵電源から電源を供給しているとき、電源電圧の降下が軽微で、内蔵電源の電圧値に近い電圧をマイクロホン回路に供給することができ、マイクロホンの出力レベルの低下を軽減することができるコンデンサマイクロホンを提供することを目的とする。
本発明はまた、外部電源が供給されているときは自動的に内蔵電源からの電源供給回路を遮断して、外部電源が内蔵電源に流入する不具合を防止することができるコンデンサマイクロホンを提供することを目的とする。
【課題を解決するための手段】
【０００９】
本発明は、信号出力先となる外部装置が備える外部電源と内蔵電源とを切り替えて使用するコンデンサマイクロホンであって、内蔵電源からマイクロホン回路に至る内蔵電源供給回路と、外部電源からマイクロホン回路への外部電源供給の有無を検知する検知手段と、検知手段が外部電源供給を検知しているとき内蔵電源からの電源供給を遮断するスイッチ手段と、を備え、検知手段はフォト−ＭＯＳリレーが備える発光ダイオードで構成されていて外部電源とマイクロホン回路の間に直列に接続され、スイッチ手段はフォト−ＭＯＳリレーが備えているＭＯＳＦＥＴで構成されていて内蔵電源と上記マイクロホン回路との間に直列に接続され、上記マイクロホン回路からの音声信号を上記信号出力側に通過させるバイパスコンデンサが上記発光ダイオードに並列に接続され、ＭＯＳＦＥＴは、発光ダイオードの点滅によって、内蔵電源供給回路とマイクロホン回路との接続と切り離しを切り替えることを主な特徴とする。
【発明の効果】
【００１０】
本発明によれば、外部電源が供給されているときには内蔵電源の供給路を遮断するので、外部電源から内蔵電源への電流の流れ込みを防止して、内蔵電源を保護することができる。内蔵電源を遮断するスイッチは、電圧降下のない、あるいは電圧降下があっても電圧降下が少ないものを用いるから、内蔵電源からマイクロホン回路に供給される電源電圧を内蔵電源電圧に近い電圧にすることができ、内蔵電池使用時であっても、最大許容入力音圧レベルを大きくすることができる。
【図面の簡単な説明】
【００１１】
【図１】本発明に係るコンデンサマイクロホンに外部電源を取り付けた状態の実施形態を示す回路図である。
【図２】上記コンデンサマイクロホンから外部電源を取り外した状態の実施形態を示す回路図である。
【発明を実施するための形態】
【００１２】
以下、本発明に係るコンデンサマイクロホンの実施形態について図を用いて説明をする。図１は、コンデンサマイクロホン１を外部装置２に取り付けた状態の例を示す回路図である。図２は、コンデンサマイクロホン１を外部装置２から取り外した状態の例を示す回路図である。図１及び図２において、符号１０に示すコンデンサマイクロホンユニットは、電気音響変換部とインピーダンス変換器からなり、インピーダンス変換器を構成するＦＥＴのソース端子は接地されていて、ドレイン端子には動作電源が供給されるように構成されている。
【００１３】
動作電源は、内蔵電池１１か、または、外部装置２が備える外部電源２１のいずれかから供給される。コンデンサマイクロホン１を外部装置２に取り付けると、負荷抵抗２２を介して外部電源２１から動作電源が供給される。このとき、コンデンサマイクロホンユニット１０への電源供給は、フォト−ＭＯＳリレー１３が備える発光ダイオード（ＬＥＤ）１３１を介して行われる。
【００１４】
外部電源２１からコンデンサマイクロホン１への電源供給は、コンデンサマイクロホンユニット１０の信号線を介して供給される。すなわち、コンデンサマイクロホン１は、信号線と電源供給ラインとを共通の線で構成されている。
【００１５】
フォト−ＭＯＳリレー１３は、ＬＥＤ１３１と、ＬＥＤ１３１の発光状態に応じて開閉するスイッチ１３２と、を備えている。スイッチ１３２はＬＥＤ１３１が点灯しているときには接点が開放され、消灯しているときには接点が閉じられる。
【００１６】
図１に示すように、コンデンサマイクロホン１が外部装置２に取り付けられたときは、負荷抵抗２２を介して外部電源２１から供給される電流がフォト−ＭＯＳリレー１３のＬＥＤ１３１に流れる。これによって、ＬＥＤ１３１は点灯し、かつ、コンデンサマイクロホンユニット１０へ動作電源の供給がされる。
ＬＥＤ１３１が点灯すると、スイッチ１３２の接点は開放される。そうすると、内蔵電池１１はコンデンサマイクロホンユニット１０への電源供給回路から切り離される。つまり、外部電源２１からの電源供給がされる状態になると、スイッチ１３２が開放されて内蔵電池１１には外部電源２２からの電流が流れ込むことはない。このように、内蔵電池１１に外部電源２１からの電流が流入することによる内蔵電池１１の発熱や液漏れを防ぐことができる。
【００１７】
また、スイッチ１３２が開放されることで、負荷抵抗１２はコンデンサマイクロホンユニット１０の負荷にならなくなる。コンデンサマイクロホン１０に負荷抵抗１２と負荷抵抗２２が同時に接続されると出力信号に歪みを生じさせるになるが、本実施形態では、係る不具合は生じない。
【００１８】
コンデンサマイクロホン１が外部装置２に取り付けられて、外部電源２１から動作電源が供給されると、コンデンサマイクロホンユニット１０からの出力信号は、直流成分をカットするバイパスコンデンサ１４を介して出力される
【００１９】
一方、図２に示すように、コンデンサマイクロホン１の信号出力先となる外部装置からプラグインパワー方式の電源供給がないときは、フォト−ＭＯＳリレー１３のＬＥＤ１３１には電流が流れず消灯状態となる。そうすると、スイッチ１３２は接点を閉じた状態になる。スイッチ１３２の接点が閉じると、内蔵電池１１から負荷抵抗１２を介してコンデンサマイクロホンユニット１０に動作電源が供給される。このとき、外部電源２１からの電源供給に用いられる負荷抵抗２２は、マイクロホンユニット１０の信号線に接続していないから、コンデンサマイクロホンユニット１０の負荷が大きすぎて出力信号の歪みの原因となることはない。
【００２０】
また、内蔵電池１１から供給される電源は、コンデンサマイクロホンユニット１０に供給されるまでの間に、不要な電圧降下を生じさせることがないから、内蔵電池１１によってマイクロホンユニット１０を動作させても、コンデンサマイクロホン１の最大許容入力音圧レベルを大きくすることができる。
【００２１】
外部装置２が取り外されて、外部電源２１からプラグインパワー方式での動作電源が供給されない状態になっても、コンデンサマイクロホンユニット１０からの出力信号は、直流成分をカットするバイパスコンデンサ１４を介して出力される。
【符号の説明】
【００２２】
１    コンデンサマイクロホン
１０  コンデンサマイクロホンユニット
１１  内蔵電池
１２  負荷抵抗
１３  フォト−ＭＯＳリレー
１４  バイパスコンデンサ
２１  外部電源
２２  負荷抵抗
【図１】
0005995509.tif 000002
【図２】
0005995509.tif 000003